(57)【要約】【課題】  椅子と足載せ台として使用できるとともに、設置方法を変更するだけで、ソファーとテーブル、机と椅子、ベッド等に変形して使用できるとともに、不使用時には直方体状にコンパクトに収納することができるマルチチェアを提供すること。【解決手段】  椅子本体１０と、足載せ台２０とを備えている。椅子本体１０は、略直方体からなる全体形状から一回り小さな直方体状の座部領域１５を切り欠いた形状をなしている。そして、座部領域１５の下面には座部１１が、側面にはアームレスト部１３が、背面には背もたれ部１２がそれぞれ形成されている。【選択図】  図１
2006174931.tif 000002
【特許請求の範囲】
【請求項１】
座部と、背もたれ部と、座部の両側に配置されるアームレスト部とを有し、該座部、背もたれ部、アームレスト部によって略直方体の座部領域を有する椅子本体と、
該座部領域と同一形状に形成され座部領域に挿入可能な足載せ台とを備えたこと特徴とするマルチチェア。
【請求項２】
椅子本体は、背面又は底面の一部又は全部が硬質に作製され、若しくは硬質の板が取り付けられてなり、
前記椅子本体の背面又は底面を上面となるように配置することにより、机として使用可能であることを特徴とする請求項１記載のマルチチェア。
【請求項３】
足載せ台は、椅子として使用可能であることを特徴とする請求項１又は２に記載のマルチチェア。
【請求項４】
足載せ台の一面が硬質に作製され、若しくは硬質の板が取り付けられてなり、机又はテーブルとして使用可能であることを特徴とする請求項１から３の何れかに記載のマルチチェア。
【請求項５】
足載せ台は、複数に分割可能であることを特徴とする請求項１から４の何れかに記載のマルチチェア。
【請求項６】
複数に分割可能な足載せ台は、座部の高さと同様の厚さに分割可能であり、分割された複数の足載せ台を座部から連続して敷くことによって、ベッドを形成可能であることを特徴とする請求項５に記載のマルチチェア。
【発明の詳細な説明】
【技術分野】
【０００１】
本発明は、椅子及び足置き（オットマン）として基本的に使用できるとともに、テーブル、机又はベッドとしても使用可能なマルチチェアに関するものである。
【背景技術】
【０００２】
椅子、机等として使用できる家具に関しては、図１４に示すように、一対の方形状側枠１と、その後部間に立てられる背板２と、両側枠１間に水平に向けて着脱自在に架設される平板３とから成り、前記側枠１は、上下の横材４，５を簀の子状に複数の縦材６を繋いで形成し、両側枠１に、ボルトの挿入穴７を上下に間隔をおいて多数設け、任意の挿入穴７を介して取付用ボルト１０を平板３の端面にねじ込むことにより、平板３を側枠１に対して高さ調整自在に固定し、両側枠１の上下の枠材４，５に積上時の連結用ボルトの挿入穴８を設けた多用途家具、とするものがある（特許文献１参照）。
【０００３】
この家具は、平板を座板として適宜の高さに設定すると子供用や大人用の椅子として使用でき、また、平板を側枠の上部に固定すれば机として使用することもでき、多くの用途に用いることができるという点では優れたものである。
【０００４】
しかしながら、この多用途家具は、それぞれ椅子や机として使用するたびに、連結ボルトを取り外して、平板を取付け直さなければならないものである。従って、決して使い勝手がよいものではなかった。
【特許文献１】特開２００４−３１３２５１号公報
【発明の開示】
【発明が解決しようとする課題】
【０００５】
本発明は、椅子及び足載せ台として使用できるとともに、設置方法を変更するだけでソファーとテーブル、机と椅子、ベッド等として使用できるマルチチェアを提供することを課題とするものである。また、不使用時にコンパクトに収納することができるマルチチェアを提供することも課題とするものである。
【課題を解決するための手段】
【０００６】
本発明は、上記課題を以下の手段によって解決するものである。本発明のマルチチェアは、椅子本体と足載せ台とを備えている。椅子本体は、略直方体の全体形状に対して一回り小さな直方体を切り欠いて座部領域を形成している。従って、座部領域の下面には座部が形成され、側面にはアームレスト部が形成され、背面には背もたれ部がそれぞれ形成されている。再度繰り返すと、座部領域とは、座部、アームレスト部、背もたれ、椅子本体の平面、正面によって囲われた部分を指すものであり、この座部領域が直方体の空間をなしているものである。座部領域の大きさや位置は特に限定するものではない。例えば、座部の高さやアームレストの幅等は適宜設定して構わない。また椅子本体の素材についても上記形状が保持できれば、特に限定するものではない。好ましくは、内部に硬質で丈夫な素材を用いて椅子の形状を保持させて、外側に座り心地及び触り心地のよいクッション製の素材を用いるとよい。
【０００７】
一方、足載せ台は、通常はオットマンとして使用されるものであり、直方体の座部領域と同一の大きさに作製されていて、不使用時に座部領域に挿入して収納することができるように作製されている。
【０００８】
以上の椅子本体と足載せ台は、以下のように使用される。まず、第１の使用方法として、椅子本体の前に足載せ台を設置して、椅子と足載せ台、例えば、ソファーとオットマンとして使用することができる。
【０００９】
第２の使用方法として、椅子本体をそのまま椅子として使用し、足載せ台をテーブルとして使用することができる。この場合に、足載せ台の任意の面に硬質板、例えば、木板、プラスチック板などを表面に一体化させておくか、若しくは、表面の被覆材の裏側に硬質板を挿入する等して表面を硬質に設けておけば、その面を上面として用いることによってテーブル面として使いやすくすることができる。
【００１０】
また、足載せ台を水平方向に複数に分割できるように設けておけば、足載せ台の重ね具合によって椅子の高さを調整することができるようになる。また、分割された足載せ台の一部を座部領域に挿入して使用すれば、座面の高さも調整することができるようになる。このように足載せ台を分割して形成すれば、テーブルの高さ及び椅子の高さに調整して使い勝手を良くすることができる。
【００１１】
第３の使用方法としては、椅子本体の背面又は底面を上面側に配置して、背面又は底面を机上面として用いることによって、机又はテーブルとして使用することができる。この場合に、背面又は底面の一部又は全部に硬質板、例えば、木板、プラスチック板などを表面に取り付けておくか、若しくは、表面の被覆材の裏側、すなわち内部に硬質板を挿入する等して背面又は底面を硬質に設けることによって、使いやすい卓上面を形成することができる。このとき、椅子は別途用意しても構わないが、分割タイプの足載せ台を用いれば、足載せ台の一部をそのまま椅子として使用することもできる。
【００１２】
さらに、複数に分割する場合に、分割した全ての足載せ台の厚さを座部の高さと同様の厚さになるように形成すれば、分割した足載せ台を座部から横に密着させて複数敷き詰めることにより、座部から一体の平面として形成され、ベッドとしても使用できるようになる。尚、この場合に、足載せ台を分割するときに必ずしも別体となるように設ける必要はなく、例えば、それぞれの分割された足載せ台をヒダ状に折り畳めるように設けてもよい（図１３参照）。このように設ければ寝ているときにそれぞれの足載せ台が離れることはなく、快適なベッドとして使用することができる。
【発明の効果】
【００１３】
本請求項１に記載の発明によれば、足載せ台が椅子本体の座部領域と同様の大きさ、形状に形成されているため、不使用時には、座部領域に挿入して収納することができる。また、使用時には、単に設置方法を変更するだけで用意にソファーとオットマン、ソファーとテーブル、机と椅子といった組み合わせで使用することができるようになる。
【００１４】
本請求項２に記載の発明によれば、椅子本体の背もたれ部の背面又は底面を硬質に設けられているか、若しくは硬質板が取り付けられているので、その面を上面として設置することによって、使いやすい上面を持ったテーブルや机とすることができる。
【００１５】
本請求項３に記載の発明によれば、足載せ台をそのまま椅子として使用することができる。また、請求項４記載の発明によれば、足載せ台の一面を硬質に設けるか、若しくは硬質板を取り付けることによって、より使いやすい机やテーブルとすることができるようになる。
【００１６】
本発明請求項５に記載の発明によれば、足載せ台が複数に分割して設けられているので、この足載せ台の一部を座面に敷くことによって、椅子の高さを調整することができるようになる。また、複数の足載せ台の重ね具合によって、足載せ台を机やテーブルとして使用した場合にその高さを調整することができるようになる。
【００１７】
本請求項６に記載の発明によれば、複数の足載せ台を連続して敷くことによって、ベッドとしても使用することができるようになる。
【発明を実施するための最良の形態】
【００１８】
以下本発明を実施するための最良の形態を実施例にしたがって説明する。
【実施例１】
【００１９】
図１から図４に実施例１に係るマルチチェアが図示されている。実施例１に係るマルチチェアは、図１に示すように、椅子本体１０と、足載せ台２０とを備えている。椅子本体１０は、全体の外形が略直方体に形成され、座部１１と、背もたれ部１２と、座部１１の両側に配置されるアームレスト部１３によって、略長方形の座部領域１５が設けられている。椅子本体１０は、それぞれ椅子としての形状を保持するため、内部に硬質の支持部材（例えば、木板やプラスチックハニカム等）が挿入されている（図示せず。）。そして、座り心地、触り心地向上のため、その周囲（外周）がウレタン等のクッション製の部材で覆った後、カバーで覆われている。但し、背面には、硬質な板１６として厚さ３ｍｍ程度の硬質なプラスチック板が取り付けられている。従って、背面のみは、硬質な平面となっている。
【００２０】
一方、足載せ台２０は、座部領域１５と略同様の大きさ、形状に作製されている。足載せ台２０の構造は、椅子本体１０と同様に内部に硬質な部材が挿入され、その周りはウレタン等の柔らかいクッション製の部材で覆われている。さらに裏面には、硬質の板２５としてプラスチック板が取り付けられている。このとき、図３に示すように、座面の高さとオットマンの高さを同一とするため、座部の高さと同様の厚さになるように足載せ台２０及び座部領域１５が設定されている。
【００２１】
以上のようにして作製されたマルチチェア１００は、不使用時には、図２に示すように椅子本体１０の座部領域１５内に足載せ台２０が収納されている。この状態から足載せ台２０を座部領域１５から取り外し、図３に示すように足載せ台２０を座部の前に設置して、椅子本体１０をソファーとして、足載せ台２０をオットマンとして使用することができる。
【００２２】
また、この状態から足をオットマンから下ろして、足載せ台２０をひっくり返して硬質の板２５を上面とすることによって、足載せ台２０をテーブルとして使用することもできる。
【００２３】
さらに、図４に示すように、椅子本体１０の背面側を上面なるように設置すると、机上面が硬質の板１６となるため机として使用することもできる。
【００２４】
このように、本実施例１のマルチチェア１００は、その使用態様によって、ソファーと椅子、ソファーとテーブル、又は机として使用することができる。
【実施例２】
【００２５】
実施例２に係るマルチチェア１００が図５から図８に示されている。椅子本体１０は、座部１１が実施例１と比較して低く設けられている点を除けば、実施例１と同様に作製されている。一方、足載せ台２０は、図６に示すように実施例１と同様に作製された上部足載せ台２１と、座部が低く形成された分と同等の厚さを有する下部足載せ台２２と２段に分割して作製されている。上部足載せ台２１の底面には、硬質の板材２５として木板が貼りつけられている。
【００２６】
実施例２のマルチチェア１００は、図７ａに示すように上部足載せ台２１のみを取り外して、上部足載せ台２１を椅子本体１０の前に設置して、ソファーとオットマンとして使用することができる。また、上部足載せ台２１を逆さまにして硬質の板２５を上面側にすることによって、ソファーとテーブルとして使用することができる。この場合に、下部足載せ台２２をソファーから取り外して使用したり、さらに、取り外した下部足載せ台２２を上部足載せ台２１の下に敷いたりすることによって、椅子とテーブルの高さを調整することができる。図８には、下部足載せ台２２を上部足載せ台２１の下に敷いてテーブルを高くして、机として使用している状態が図示されている。尚、下部足載せ台２２にも硬質の板を取り付けておいて、上部足載せ台２２を下部足載せ台２１の硬質の板の上に載せて使用できるようにしてもよく、そのようにすればより安定した机とすることができる。
【００２７】
さらに、図９のように椅子本体１０の背面、すなわち、硬質の板１６が上面になるように設置して、椅子本体１０を机として使用し、上部足載せ台２１を椅子として使用することもできる。この実施例２におけるマルチチェアの場合は、上部足のせ台２１が座部領域の高さより低いので、座部領域に足を挿入することができるため、そのまま椅子として使用することができる。
【００２８】
尚、硬質の板２５は、必ずしも上部足載せ台２１や下部足載せ台２２と一体になっている必要はなく、図１０に示すように、硬質の板２５を別体に設けて上部足載せ台２１と下部足載せ台２２間若しくは座部１１と下部足載せ台２２との間に収納できるようにしてもよい。
【実施例３】
【００２９】
図９から図１０に実施例３におけるマルチチェア１００が示されている。この実施例３におけるマルチチェアは、足載せ台２０が座部の高さと同様の厚さで３段に分割されているものである。これ以外の点は、実施例１又は２と同様であるので説明を省略する。
【００３０】
このように作製されたマルチチェア１００は、上部２段を実施例２における上部足載せ台として、下部１段を下部足載せ台として用いることにより、実施例２と同様に、ソファーとオットマン、ソファーとテーブル、机と椅子として用いることができる（図示せず。）。これに加え、実施例３においては、３つの足載せ台２０をそれぞれ図１２に示すように座部から連続して並べることにより、ベッドとして使用することもできるようになる。
【００３１】
尚、３段に設けられた足載せ台２０は、必ずしも全て別体に設ける必要はなく、例えば、図１３に示したように、ヒダ状に折り畳むことができるように一部を連結して設けても構わない。
【００３２】
このように実施例３のように足載せ台を３段に分割して作製することにより、実施例１や２の使用方法に加え、ベッドとしても使用することができるようになる。
【００３３】
尚、実施例１から３において、椅子本体の背面や、足載せ台において図示の困難性から硬質な板を取り付けた実施例を示しているが、内側に硬質な部材を挿入したりして椅子本体の背面や足載せ台の一部の面自体が硬質に設けられていても構わない。
【図面の簡単な説明】
【００３４】
【図１】実施例１に係るマルチチェアの斜視図である。
【図２】実施例１に係るマルチチェアの収納状態を示す斜視図である。
【図３】実施例１に係るマルチチェアの使用例を示した図である。
【図４】実施例１に係るマルチチェアの別使用例を示した図である。
【図５】実施例２に係るマルチチェアの収納状態を示す図である。
【図６】実施例２に係る足載せ台を示す図である。
【図７】実施例２に係るマルチチェアの使用例を示す図である。
【図８】実施例２に係るマルチチェアの別使用例を示す図である。
【図９】実施例２に係るマルチチェアのさらなる別使用例を示す図である。
【図１０】実施例２に係るマルチチェアのバリエーションを示す斜視図である。
【図１１】実施例３に係るマルチチェアの収納状態を示す斜視図である。
【図１２】実施例３に係るマルチチェアの使用例を示した図である。
【図１３】足載せ台の別実施例を示す図である。
【図１４】従来例を表す図である。
【符号の説明】
【００３５】
１０              椅子本体
１１              座部
１２              背もたれ部
１３              アームレスト部
１５              座部領域
１６              硬質の板
２０              足載せ台
２１              上部足載せ台
２２              下部足載せ台
２５              硬質の板材
１００            マルチチェア
【図１】
2006174931.tif 000003
【図２】
2006174931.tif 000004
【図３】
2006174931.tif 000005
【図４】
2006174931.tif 000006
【図５】
2006174931.tif 000007
【図６】
2006174931.tif 000008
【図７】
2006174931.tif 000009
【図８】
2006174931.tif 000010
【図９】
2006174931.tif 000011
【図１０】
2006174931.tif 000012
【図１１】
2006174931.tif 000013
【図１２】
2006174931.tif 000014
【図１３】
2006174931.tif 000015
【図１４】
2006174931.tif 000016